(57)【要約】【課題】従来技術では、テレビ番組の閲覧・操作履歴のみでユーザの嗜好を算出するため、ユーザが過去に旅行したことのある場所に関するテレビ番組など実生活での体験に関連する番組を抽出することが難しい。【解決手段】録画装置１００には、番組と、位置情報が付加された画像データと、電子番組情報取得部１１４から得られる電子番組情報とを記憶する記憶部１０１と、画像データから位置情報を抽出する位置情報抽出部１０５と、抽出された位置情報と電子番組情報とを用いて、録画する番組を選択する番組選択部１０６と、番組取得部１１５から選択された番組を録画する番組録画部１０７を備える。【選択図】図１
2009290631.tif 000002
【特許請求の範囲】
【請求項１】
番組と、位置情報が付加された画像データと、電子番組情報とを記憶する記憶手段と、
前記記憶手段に記憶されている画像データから、前記位置情報を抽出する抽出手段と、
前記抽出手段で抽出された位置情報と、前記記憶手段に記憶された電子番組情報とを用いて、録画する番組を選択する選択手段と、
前記選択手段で選択された番組を録画する録画手段と、
を備えることを特徴とする録画装置。
【請求項２】
前記録画装置であって、
前記記憶手段は、前記画像データの優先度を示す画像データ優先度情報をさらに記憶しており、
前記選択手段は、前記記憶手段に記憶された画像データ優先度情報が所定の値である場合には、前記抽出手段で抽出された位置情報と、前記記憶手段に記憶された電子番組情報とを用いて、録画する番組を選択する
ことを特徴とする請求項１記載の録画装置。
【請求項３】
前記録画装置は、優先度変更手段をさらに備え、
前記記憶手段は、前記画像データの操作履歴情報をさらに記憶し、
前記優先度変更手段は、前記記憶手段に記憶された操作履歴情報に基づいて、前記記憶手段に記憶された画像データ優先度情報を変更する
ことを特徴とする請求項２記載の録画装置。
【請求項４】
前記録画装置は、表示手段をさらに備え、
前記表示手段は、前記記憶手段に記憶された画像データ優先度情報が所定の値である場合には、前記選択手段で選択された番組に関する情報を表示する
ことを特徴とする請求項３記載の録画装置。
【請求項５】
前記録画装置であって、
前記録画手段は、前記記憶手段に記憶された画像データ優先度情報が所定の値である場合には、前記選択手段で選択された番組を録画する
ことを特徴とする請求項３記載の録画装置。
【請求項６】
前記録画装置は、送信手段をさらに備え、
前記送信手段は、前記記憶手段に記憶された画像データ優先度情報が所定の値である場合には、前記選択手段で選択された番組に関する情報を送信する
ことを特徴とする請求項３記載の録画装置。
【請求項７】
前記録画装置は、表示手段をさらに備え、
前記記憶手段は、前記選択手段で選択された番組に関する情報をさらに記憶しており、
前記表示手段は、前記記憶手段に記憶された画像データ優先度情報が所定の値である場合には、前記選択手段で選択された番組に関する情報を表示する
ことを特徴とする請求項３記載の録画装置。
【請求項８】
前記録画装置であって、
前記記憶手段は、前記選択手段で選択された番組に関する情報をさらに記憶しており、
前記録画手段は、前記記憶手段に記憶された画像データ優先度情報が所定の値である場合には、前記記憶手段に記憶された番組に関する情報を用いて、前記番組を録画する
ことを特徴とする請求項３記載の録画装置。
【請求項９】
前記録画装置は、送信手段をさらに備え、
前記送信手段は、前記記憶手段に記憶された画像データ優先度情報が所定の値である場合には、前記記憶手段に記憶された番組に関する情報を送信する
ことを特徴とする請求項３記載の録画装置。
【発明の詳細な説明】
【技術分野】
【０００１】
本発明は、テレビ番組やユーザが撮影した画像等に代表されるコンテンツを録画・蓄積・再生する端末およびシステムに関するものである。
【背景技術】
【０００２】
近年電子番組ガイド（以下ＥＰＧと省略する）の普及により、テレビ画面上で将来放送される番組の予定を確認することが可能となっている。さらにこの情報を参照することによって、ユーザが望む将来の番組をあらかじめ設定（予約）しておくことで、ハードディスクやＤＶＤ等のメディアに簡単に録画することが可能となっている。
【０００３】
さらに、ハードディスク等への録画予約の内容や、録画番組の閲覧操作履歴からユーザの番組に対する閲覧集中度を算出し、閲覧集中度に基づいてユーザの嗜好を抽出することによって、ＥＰＧにある将来放送される予定番組の中から嗜好にあった番組を自動的に録画予約する番組選択装置も提案されている（例えば、特許文献１参照）。
【０００４】
ところで、近年デジタルカメラ等で撮影されるデジタル画像には、その画像に関する画素情報だけでなく、撮影日時やＧＰＳ（Ｇｌｏｂａｌ  Ｐｏｓｉｔｉｏｎｉｎｇ  Ｓｙｓｔｅｍ：全地球即位システム）の位置情報（緯度や経度）を記録することができるようになっており、デジタル画像に付属してこれら情報を参照・利用するこが可能となっている。これはＪＥＩＴＡ（社団法人日本電子情報技術産業協会）が、１９９８年に標準規格（ＪＥＩＤＡ−４９）として採用した「デジタルスチルカメラ用画像ファイルフォーマット規格（Ｅｘｉｆ  ｖ２．１）」等によって規定されている。
【特許文献１】特開２００５−３１２０２３号公報
【発明の開示】
【発明が解決しようとする課題】
【０００５】
従来のテレビ番組録画方法においては、まず、ユーザがＥＰＧ情報を頼りに手作業で所望の番組を録画予約するには、手間がかかるという課題がある。また特許文献１のように、録画履歴や操作履歴からユーザの嗜好を抽出することによって自動的に録画予約する方法においては、テレビ放送を録画・閲覧した履歴情報のみからユーザの嗜好を抽出するので、ユーザが旅行で過去に行った場所や、過去に録画・閲覧したテレビ番組にない興味のある地域などを抽出することはできず、ユーザの嗜好を充分に反映できているとはいえない。
【０００６】
そこで、本発明は上記事情に鑑みてなされたものであり、ユーザが旅行等過去に経験したり、興味をもったりしている地域や場所を抽出し、ユーザの嗜好によりあった番組を選出することができる録画方法および装置を提供することを目的とする。
【課題を解決するための手段】
【０００７】
上記目的を達成するため、本発明にかかる録画装置は、番組と、位置情報が付加された画像データと、電子番組情報とを記憶する記憶手段と、前記記憶手段に記憶されている画像データから、前記位置情報を抽出する抽出手段と、前記抽出手段で抽出された位置情報と、前記記憶手段に記憶された電子番組情報とを用いて、録画する番組を選択する選択手段と、前記選択手段で選択された番組を録画する録画手段と、を備える。
【０００８】
本構成によって、テレビ番組の録画・閲覧・操作履歴だけでなく、ユーザが実生活で撮影した画像の位置情報を利用することで、ユーザの体験に関連する地域や場所に関する番組を自動的に選出し録画することが可能となるという効果が得られる。
【発明の効果】
【０００９】
本発明に係る録画装置によれば、テレビ番組の録画・閲覧・操作履歴だけでなく、ユーザが実生活で撮影した画像の位置情報を利用することで、ユーザの体験に関連する地域や場所に関する番組を自動的に選出し録画することが可能となる。
【００１０】
さらにインターネット等の閲覧中に得られる画像データの位置情報を利用することで、ユーザが関心をもっている地域や場所をより幅広く抽出し自動的に選出し録画することが可能となる。
【００１１】
これは、ユーザの嗜好、特に高い関心を持つ特定の地域や場所に関するテレビ番組について、ユーザがＥＰＧ情報等から手作業で選出し録画または録画予約することなく、自動的に選出し録画してくれるので、手間が省けるだけでなく、手作業による漏れも防ぐことができるという効果を有するため、放送波やインターネットを通じ多種多様なコンテンツが放送・配信されるようになっている今日において実用価値は高い。
【発明を実施するための最良の形態】
【００１２】
以下、本発明の実施の形態について、図面を参照しながら説明する。
【００１３】
（実施の形態１）
図１は、本発明の実施の形態１における録画装置の構成図である。以下、図１を用いて実施の形態１における録画装置の動作について説明する。
【００１４】
録画装置１００は、図１に示す通り、画像記憶部１０２と番組情報記憶部１０３と番組記憶部１０４を含む記憶部１０１、位置情報抽出部１０５、番組選択部１０６、番組録画部１０７、番組情報取得部１１４、番組取得部１１５から構成される。録画装置１００は、ハードウェアとしてはＣＰＵ、ＲＯＭ、ＲＡＭ、ハードディスク等から構成され、ＲＯＭ又は上記ハードディスクには、コンピュータプログラムが記憶され、上記ＣＰＵが、上記コンピュータプログラムに従って動作することにより、上記装置はその機能を達成する。
【００１５】
記憶部１０１は、画像記憶部１０２と番組情報記憶部１０３と番組記憶部１０４で構成され、各データの記憶を行う。画像記憶部１０２は、装置内へ取り込まれたＥｘｉｆフォーマット形式の写真データの記憶を行う。
【００１６】
写真データには、写真を撮る動作と同時に撮影位置情報が付加される。例えば、撮影ボタンを押した場合等である。あるいは、位置情報を付加するためのボタンを押したときに撮影位置情報を付加するようにしてもよい。撮影位置情報とは、写真を撮った場所の緯度・経度といったような位置情報である。
【００１７】
番組情報取得部１１４は、放送波やインターネットからＥＰＧデータを取得し、取得したＥＰＧデータを番組情報記憶部１０３へ記憶する。番組取得部１１５は、放送波やインターネットから番組データの取得を行う。位置情報抽出部１０５は、画像記憶部１０２に記憶されている写真データのＥｘｉｆフォーマット解析処理を行い、ＥｘｉｆフォーマットのＧＰＳ位置情報タグ（具体的には、「ＧＰＳＬａｔｉｔｕｄｅＲｅｆ」「ＧＰＳＬａｔｉｔｕｄｅ」「ＧＰＳＬｏｎｇｉｔｕｄｅＲｅｆ」「ＧＰＳＬｏｎｇｉｔｕｄｅ」といったタグ）から、写真の撮影された緯度・経度といった位置情報を抽出する。番組選択部１０６は、位置情報抽出部１０５で抽出された位置情報が、番組記憶部１０４に記憶された各番組の番組関連位置情報の緯度・経度内に含まれるかどうかを判定し、その範囲に含まれる番組を写真データが撮影された場所に関連の深い番組と規定し、録画番組として選択する。番組録画部１０７は、番組選択部１０６で選択された番組が、番組取得部１１５から取得された時に、番組記憶部１０４へ録画する。
【００１８】
＜番組選択部１０６の動作＞
次に、録画装置１００の行う番組選択処理の動作について説明する。番組情報記憶部１０３には、図４に示すような番組情報４０１が記憶されており、番組情報４０１は、ＥＰＧデータの番組を識別するための「番組ＩＤ」、番組の名称を示す「番組名」、番組の内容を示す「番組内容情報」、録画予約設定するための番組の放送日時とチャンネル番号を示す「録画用情報」、番組内容と関係ある場所の緯度・経度値を示す「番組関連位置情報」とで構成される情報である。番組選択部１０６は、位置情報抽出部１０５から、画像記憶部１０２に記憶されている写真データの位置情報を受け取る。例えば、写真データの撮影位置情報が「北緯３５．０度、東経１３５．０度」であった場合、番組選択部１０６は、番組情報４０１の各番組に付与されている「番組関連位置情報」の緯度・経度内に含まれるかどうかを判定し、該当する番組を検出する。番組情報４０１の場合は、「番組関連位置情報」が「北緯３５．０度、東経１３５．２度」である「番組ＩＤ＝００１」が録画番組として選択される。
【００１９】
かかる構成によれば、番組の録画・閲覧・操作履歴だけでなく、ユーザが実生活で撮影した画像の位置情報を利用することで、ユーザの体験に関連する地域や場所に関する番組を自動的に選出し、録画することができる。
【００２０】
（実施の形態２）
図２は、本発明の実施の形態２における録画装置の構成図である。以下、図２を用いて実施の形態２における録画装置の動作について説明する。
【００２１】
録画装置２００は、図２に示す通り、画像記憶部２０２と番組情報記憶部２０３と番組記憶部２０４と優先度情報記憶部２０８と操作履歴情報記憶部２０９と地名情報記憶部２１３を含む記憶部２０１、位置情報抽出部２０５、番組選択部２０６、番組録画部２０７、優先度変更部２１０、表示部２１１、送信部２１２、番組情報取得部２１４、番組取得部２１５から構成される。画像記憶部２０２、番組情報記憶部２０３、番組記憶部２０４、位置情報抽出部２０５、番組録画部２０７、番組情報取得部２１４、番組取得部２１５は、実施の形態１と同じ動作を行うため説明を省略する。
【００２２】
地名情報記憶部２１３は、地名とその地名に対する位置情報の記憶を行う。操作履歴情報記憶部２０９は、画像記憶部２０２に記憶された画像データに対する閲覧操作の履歴を記憶する。優先度情報記憶部２０８は、番組選択の判定に使用する各画像データの優先度情報を記憶する。優先度変更部２１０は、操作履歴記憶部２０９に記憶された閲覧操作の履歴から画像データの優先度情報を算出し、優先度情報記憶部２０８の優先度情報を更新する。番組選択部２０６は、番組情報記憶部２０３の番組情報と地名情報記憶部２１３の地名情報とを照会し、各番組の番組関連位置情報を導出する。さらに、優先度情報記憶部２０８に記憶された優先度情報が所定の値である画像データに関し、位置情報抽出部２０５で抽出された位置情報が、先に導出された番組関連位置情報の緯度・経度内に含まれるかどうかを判定し、その範囲に含まれる番組を写真データが撮影された場所に関連の深い番組と規定し、ユーザへ表示する表示番組または自動的に録画予約する録画番組または他の機器へ送信する送信番組として選択する。表示部２１１は、番組選択部２０６で選択された番組に関する情報を表示する。送信部２１２は、番組選択部２０６で選択された番組に関する情報を他の機器へ送信する。
【００２３】
＜優先度変更部２１０の動作＞
次に、録画装置２００の行う優先度変更処理の動作について説明する。
【００２４】
操作履歴情報記憶部２０９には、図７に示すような操作履歴情報７０１が記憶されており、操作履歴情報７０１は、画像データを識別するための「画像ＩＤ」、画像データにアクセスするための参照先を示す「画像データ保存先」、画像データの閲覧した回数を示す「視聴回数」とで構成される情報である。また、優先度情報記憶部２０８には、図６に示すような優先度情報６０１が記憶されており、優先度情報６０１は、画像データを識別するための「画像ＩＤ」、画像データにアクセスするための参照先を示す「画像データ保存先」、番組選択の判定に使用するための基準値となる「優先度」とで構成される情報である。優先度変更部２１０は、操作履歴情報７０１の各「画像ＩＤ」に対して、操作履歴情報７０１内の「視聴回数」を読み出し、画像データの優先度情報６０１を算出後、優先度情報６０１の各「画像ＩＤ」の優先度情報６０１を更新する。例えば、優先度を「視聴回数」を１０倍にしたものと定義した場合、優先度変更部２１０は、操作履歴情報７０１の「画像ＩＤ＝００１」の写真データの「視聴回数」が「３」であるので優先度を「３０」と算出し、優先度情報６０１の「画像ＩＤ＝００１」である写真データの「優先度」の項目を「３０」に更新する。
【００２５】
＜番組選択部２０６の動作＞
次に、録画装置２００の行う番組選択処理の動作について説明する。
【００２６】
番組情報記憶部２０３には、図５に示すような番組情報５０１が記憶されており、番組情報５０１は、ＥＰＧデータの番組を識別するための「番組ＩＤ」、番組の名称を示す「番組名」、番組の内容を示す「番組内容情報」、録画予約設定するための番組の放送日時とチャンネル番号を示す「録画用情報」とで構成される情報である。地名情報記憶部２１３には、図８に示すような地名情報８０１が記憶されており、地名情報８０１は、地名を識別するための「地名」、その地名のある場所の緯度・経度値を示す「位置情報」とで構成される情報である。番組選択部２０６は、番組情報５０１の全ての「番組名」と「番組内容情報」に対して、地名情報８０１の「地名」で文字列検索を行い、検索ヒットした番組に対して、地名情報８０１の「位置情報」を、「番組関連位置情報」として導出する。例えば、地名情報８０１の「地名」の「福岡」で検索を行った場合、番組情報５０１の「番組内容情報＝福岡の西鉄電車の旅編」が検索ヒットし、「番組ＩＤ＝００２」の番組に対して「福岡」の「位置情報」である「北緯３６．０〜３７．０度、東経１３６．０〜１３７．０度」を「番組関連位置情報」として導出する。
【００２７】
番組選択部２０６はさらに、優先度情報記憶部２０８に記憶された優先度情報６０１の「優先度」が所定の値である画像データに関し、位置情報抽出部２０５で抽出された位置情報が、先に導出された番組関連位置情報の緯度・経度内に含まれるかどうかを判定し、その範囲に含まれる番組を写真データが撮影された場所に関連の深い番組と規定し、ユーザへ表示する表示番組または自動的に録画予約する録画番組または他の機器へ送信する送信番組として選択する。例えば、優先度情報６０１の「優先度」が「３０」以上である写真データのうち「画像ＩＤ＝００１」である写真データの撮影位置情報が「北緯３６．５度、東経１３６．５度」であった場合、番組選択部２０６は、「番組関連位置情報」が「北緯３６．０〜３７．０度、東経１３６．０〜１３７．０度」である「番組ＩＤ＝００２」の番組を選択し、さらに表示部２１１に選択された番組に関する情報「番組名」や「番組内容情報」を表示する。同様に、優先度情報６０１の「優先度」が「３０」以上である「画像ＩＤ＝００３」「画像ＩＤ＝００４」である写真データに関しても、関連する番組があれば、番組に関する情報を表示部２１１に表示する。また、「優先度」が「４０」以上の場合（「画像ＩＤ＝００３」「画像ＩＤ＝００４」）は、関連する番組があれば、選択した番組の「録画用情報」を使って録画部２０７に録画予約する。また、「優先度」が「５０」以上の場合（「画像ＩＤ＝００３」）は、関連する番組があれば、番組に関する情報「番組名」や「番組内容情報」を送信部２１２で他の機器へ送信する。
【００２８】
かかる構成によれば、ユーザの嗜好、特に高い関心を持つ特定の地域や場所に関するテレビ番組について、ユーザがＥＰＧ情報等から手作業で選出し録画または録画予約することなく、自動的に選出しお勧め表示・録画・他の機器へ情報送信してくれるので、手間が省けるだけでなく、手作業による漏れも防ぐことができる。
【００２９】
（実施の形態３）
図３は、本発明の実施の形態３における録画装置の構成図である。以下、図３を用いて実施の形態３における録画装置の動作について説明する。
【００３０】
録画装置３００は、図３に示す通り、画像記憶部３０２と番組情報記憶３０３と番組記憶部３０４と優先度情報記憶部３０８と操作履歴情報記憶部３０９と地名情報記憶部３１３と番組関連情報記憶部３１６を含む記憶部３０１、位置情報抽出部３０５、番組選択部３０６、番組録画部３０７、優先度変更部３１０、表示部３１１、送信部３１２、番組情報取得部３１４、番組取得部３１５から構成される。画像記憶部３０２、番組情報記憶部３０３、番組記憶部３０４、位置情報抽出部３０５、番組録画部３０７、優先度情報記憶部３０８、操作履歴情報記憶部３０９、優先度変更部３１０、送信部３１２、地名情報記憶部３１３、番組情報取得部３１４、番組取得部３１５は、実施の形態２と同じ動作を行うため説明を省略する。
【００３１】
表示部３１１は、番組選択部３０６で選択された番組を表示後に、ユーザからの番組選択操作を受け付け、地名情報８０１の「地名」を検索文字列とし、選択された番組から「地名」を抽出後、選択回数とあわせて番組関連情報記憶部３１６に登録する。番組関連情報記憶部３１６は、表示部３１１から登録されたユーザの関心のある場所を示す「地名」と、ユーザからの選択回数を示す「選択回数」と、選択回数から算出する番組選択の指標となる「優先度」を記憶する。番組選択部３０６は、実施の形態２の動作と次に説明する動作を行うため、実施の形態２と同じ動作を行う部分の説明は省略する。
【００３２】
＜番組選択部３０６の動作＞
次に、録画装置３００の行う番組選択処理の動作について説明する。
【００３３】
番組選択部３０６は、番組情報記憶部３０３に記憶された番組情報５０１の全ての「番組名」と「番組内容情報」に対して、番組関連情報記憶部３１６の「優先度」が「１００」以上の「地名」で文字列検索を行い、検索ヒットした番組があれば、番組に関する「番組名」や「番組内容情報」を表示部３１１へ表示する。また、「優先度」が「２００」以上の場合は、検索ヒットする番組があれば、選択した番組の「録画用情報」を使って録画部３０７に録画予約する。また、「優先度」が「３００」以上の場合は、検索ヒットする番組があれば、番組に関する情報「番組名」や「番組内容情報」を送信部３１２で他の機器へ送信する。例えば、番組関連情報記憶部３１６には、図９に示すような番組関連情報９０１が記憶されており、「優先度」が「１００」以上の「地名」である「東山」を検索キーとし、番組情報５０１の全ての「番組名」と「番組内容情報」に対して文字列検索を行うと、その場合、「番組内容情報＝嵐山・東山でほっこり温泉宿」である「番組ＩＤ＝００４」が選択され、表示部３１１にその「番組名」や「番組内容情報」を表示する。
【００３４】
かかる構成によれば、位置情報付き画像データの閲覧履歴からの嗜好抽出に加え、ユーザが選択した番組情報からも場所に関する嗜好抽出を行うことで、ユーザ嗜好によりあった番組を選出することができる。
【００３５】
＜変形例＞
以上、本発明に係る録画装置について、実施の形態に基づいて説明したが、本発明はこれら実施の形態１〜３に限られないことは勿論である。優先度は、写真データの撮影日時が新しいものを優先するように算出してもよい。操作履歴情報は、ユーザの嗜好傾向がわかるものであればよく、画像データの閲覧回数以外に、閲覧時間長や最新閲覧日時等の情報で構成されるものであってもよい。優先度は、時間の経過に伴いその優先度の値を減らしていってもよい。画像データは写真データのほか、一連の画像データで構成される位置情報が付与された映像データであってもよい。画像データは、予め録画機器内に記憶されているものではなく、Ｗｅｂ上で公開されている写真データであってもよく、その場合は、Ｗｅｂ上での閲覧履歴を操作履歴情報として記憶する。
【００３６】
上記実施の形態１〜３における録画装置は、録画方法、録画プログラム、および録画プログラムを記録した記録媒体、単一の半導体基板に作り込んだＬＳＩ（Ｌａｒｇｅ  Ｓｃａｌｅ  Ｉｎｔｅｇｒａｔｅｄ  ｃｉｒｃｕｉｔ）等の集積回路として構成されてもよい。
【産業上の利用可能性】
【００３７】
以上のように発明にかかる録画装置は、ユーザの体験に関連する地域や場所、更にはユーザが関心をもっている地域や場所を幅広く抽出し自動的に番組を選出し録画することができ、例えば、ハードディスクレコーダ、ＢＤ／ＤＶＤレコーダ、録画機能付きデジタルテレビ、携帯電話、カーナビゲーションシステム等の装置でコンテンツを選択するのに有用である。
【図面の簡単な説明】
【００３８】
【図１】本発明の実施の形態１に係る録画装置の構成を示す構成図
【図２】本発明の実施の形態２に係る録画装置の構成を示す構成図
【図３】本発明の実施の形態３に係る録画装置の構成を示す構成図
【図４】実施の形態１における番組情報記憶部に記録された番組情報の一例を示す図
【図５】実施の形態２における番組情報記憶部に記録された番組情報の一例を示す図
【図６】実施の形態２における優先度情報記憶部に記録された優先度情報の一例を示す図
【図７】実施の形態２における操作履歴情報記憶部に記録された操作履歴情報の一例を示す図
【図８】実施の形態２における地名情報記憶部に記録された地名情報の一例を示す図
【図９】実施の形態３における番組関連情報記憶部に記録された番組関連情報の一例を示す図
【符号の説明】
【００３９】
１００，２００，３００    録画装置
１０１，２０１，３０１    記憶部
１０２，２０２，３０２    画像記憶部
１０３，２０３，３０３    番組情報記憶部
１０４，２０４，３０４    番組記憶部
１０５，２０５，３０５    位置情報抽出部
１０６，２０６，３０６    番組選択部
１０７，２０７，３０７    番組録画部
１１４，２１４，３１４    番組情報取得部
１１５，２１５，３１５    番組取得部
２０８，３０８    優先度情報記憶部
２０９，３０９    操作履歴情報記憶部
２１０，３１０    優先度変更部
２１１，３１１    表示部
２１２，３１２    送信部
２１３，３１３    地名情報記憶部
３１６    番組関連情報記憶部
４０１，５０１    番組情報
６０１    優先度情報
７０１    操作履歴情報
８０１    地名情報
９０１    番組関連情報
【図１】
2009290631.tif 000003
【図２】
2009290631.tif 000004
【図３】
2009290631.tif 000005
【図４】
2009290631.tif 000006
【図５】
2009290631.tif 000007
【図６】
2009290631.tif 000008
【図７】
2009290631.tif 000009
【図８】
2009290631.tif 000010
【図９】
2009290631.tif 000011